(57)【要約】【課題】静電気除去部が回転体の回転動作に与える負荷を軽減できる静電気除去機構、回転体、電子機器、及び静電気除去方法を提供する。【解決手段】静電気除去機構は、電子機器の回転体の外周面に対し、接触可能な静電気除去部と、電子機器の回転体の外周面に対し、静電気除去部を接触状態と非接触状態とに切り替え可能な切替部と、を備える。【選択図】図１
2020018619.tif 000002
【特許請求の範囲】
【請求項１】
電子機器の回転体の外周面に対し、接触可能な静電気除去部と、
前記外周面に対し、前記静電気除去部を接触状態と非接触状態とに切り替え可能な切替部と、
を備える静電気除去機構。
【請求項２】
前記静電気除去部は、前記外周面に対し、前記回転体の軸方向に亘って接触可能な請求項１に記載の静電気除去機構。
【請求項３】
前記静電気除去部は、前記外周面に対し、回転可能なローラを備える請求項１又は請求項２に記載の静電気除去機構。
【請求項４】
前記静電気除去部は、前記外周面に対し、粘着可能な粘着部を備える請求項１から請求項３のいずれか一項に記載の静電気除去機構。
【請求項５】
前記切替部は、前記静電気除去部を接触状態から非接触状態へ切り替えさせる解除機構をさらに備える請求項１から請求項４のいずれか一項に記載の静電気除去機構。
【請求項６】
請求項１から請求項５のいずれか一項に記載の静電気除去機構を備える回転体。
【請求項７】
請求項６に記載の回転体を備える電子機器。
【請求項８】
遊技機である請求項７に記載の電子機器。
【請求項９】
プリンタである請求項７に記載の電子機器。
【請求項１０】
電子機器の回転体の外周面に対し、静電気除去部を接触させるステップと、
前記外周面に対し、前記静電気除去部を非接触状態へ切り替えるステップと、
を含む静電気除去方法。
【発明の詳細な説明】
【技術分野】
【０００１】
本発明は、静電気除去機構、回転体、電子機器、及び静電気除去方法に関する。
【背景技術】
【０００２】
電子機器の中には、遊技機、プリンタ等のように、回転体が設けられているものがある。
【０００３】
例えば、特許文献１に開示されたスロットマシンには、外周面に絵柄を有し、回転動作する複数のリールが設けられている。
【先行技術文献】
【特許文献】
【０００４】
【特許文献１】特許第４１２５６２２号公報
【発明の概要】
【発明が解決しようとする課題】
【０００５】
特許文献１に開示されたスロットマシンのように、回転体を有する電子機器は、回転動作に伴う摩擦、接触等によって静電気が発生し、回転体が帯電することがある。これに対し、特許文献１では、リールの回転動作を安定させる回転安定手段が接地されることで、リールに発生する静電気が除去されている。
しかし、特許文献１に開示された回転安定手段は、静電気を除去できるが、回転するリールに常に接触しているため、リールの回転動作の負荷となることがある。
【０００６】
本発明の目的は、上述した課題を鑑み、静電気除去部が回転体の回転動作に与える負荷を軽減できる静電気除去機構、回転体、電子機器、及び静電気除去方法を提供することにある。
【課題を解決するための手段】
【０００７】
本開示のある態様の静電気除去機構は、電子機器の回転体の外周面に対し、接触可能な静電気除去部と、前記外周面に対し、前記静電気除去部を接触状態と非接触状態とに切り替え可能な切替部と、を備える。
【発明の効果】
【０００８】
本開示のある態様によれば、静電気除去部が回転体の回転動作に与える負荷を軽減できる。
【図面の簡単な説明】
【０００９】
【図１】第一実施形態における電子機器の斜視図である。
【図２】図１におけるＩＩ部の側面図である。
【図３】図１におけるＩＩＩ−ＩＩＩ部の断面図である。
【図４】図１におけるＩＩ部の側面図である。
【図５】図１におけるＩＩＩ−ＩＩＩ部の断面図である。
【図６】第二実施形態における電子機器の斜視図である。
【図７】第二実施形態における電子機器の側面図である。
【図８】第二実施形態における電子機器の斜視図である。
【図９】第二実施形態における電子機器の側面図である。
【図１０】最小構成における静電気除去機構の斜視図である。
【図１１】静電気除去方法のフローチャートである。
【発明を実施するための形態】
【００１０】
以下、各実施形態の電子機器について、図面を用いて説明する。すべての図面において同一または相当する構成には同一の符号を付し、共通する説明は省略する。
【００１１】
＜第一実施形態＞
以下、電子機器の実施形態について、図１〜図５を参照して説明する。
本実施形態において電子機器は、遊技機である。
電子機器は、図柄の回転による当たりの表示を行う遊技機であればよく、特定のものに限定されない。例えば電子機器は、スロットマシンであってもよいし、パチンコ機やゲーム機であってもよい。
【００１２】
（電子機器）
本実施形態の電子機器１０の構成について説明する。
図１に示すように、電子機器１０は、回転体２０と、中継基板部３０と、筐体４０と、静電気除去機構６０と、を備える。
電子機器１０は、スタンド９０をさらに備える。スタンド９０は、筐体４０に固定されている。
電子機器１０は、制御部９５をさらに備えてもよい。
【００１３】
回転体２０は、回転軸２１と、リールテープ２２と、リール２３と、を備える。
回転体２０は、円筒形状を有する。
回転体２０は、軸方向Ｄａに延びている円筒軸を有する。
回転体２０は、軸方向Ｄａ周りの周方向Ｄｃに延びる外周面２０ｃを有する。
【００１４】
回転軸２１は、軸方向Ｄａに延びている。
回転体２０は、例えばステッピングモータ等のモータにより、回転軸２１を中心に、筐体４０に対して回転する。
本実施形態では、回転軸２１の回転させることにより、回転体２０は、周方向Ｄｃに回転する。
回転軸２１は、回転体２０の円筒軸と同軸となっていてもよい。
【００１５】
リールテープ２２は、回転体２０の外周面２０ｃとして、リール２３の外周を覆っている。
回転軸２１が回転すると、リールテープ２２は、リール２３と共に回転する。
リールテープ２２の外を向く面には、図示しない複数の図柄が、周方向Ｄｃに並んで描かれている。
【００１６】
回転体２０は、複数設けられている。
複数の回転体２０は、軸方向Ｄａに、回転軸２１が互いに並ぶように設けられている。
複数の回転体２０は、互いに同軸で並べられている。
複数の回転体２０は、互いに独立して回転可能となっている。
本実施形態では、電子機器１０において、回転体２０は、３つ設けられている。
【００１７】
制御部９５は、例えばモータを制御することにより、各回転体２０の回転及び停止の制御を行う。制御部９５は、各回転体２０の回転及び停止を独立に制御する。
制御部９５は、中継基板部３０とは別にある。制御部９５の制御が、中継基板部３０を経由して、各回転体２０を動作させる。
【００１８】
筐体４０は、回転体２０と、静電気除去機構６０と、をそれぞれ支持する。
筐体４０は、グランドＧＮＤに接地されている。
このため、筐体４０は、回転体２０に発生した電荷を、回転体２０に接触している静電気除去機構６０を介してグランドＧＮＤに放出できる。
例えば、筐体４０は、静電気除去機構６０とグランドＧＮＤとに接続されている導電体を有していてもよい。
例えば、筐体４０は、静電気除去機構６０とグランドＧＮＤとに接続されている金属で構成されてもよい。
【００１９】
例えば、電子機器１０は、門型支持部５０をさらに備えてもよい。
例えば、筐体４０は、門型支持部５０を支持してもよい。
例えば、門型支持部５０は、回転体２０の上方で中継基板部３０を支持してもよい。
【００２０】
（静電気除去機構）
静電気除去機構６０の構成について詳しく説明する。
静電気除去機構６０は、静電気除去部７０と、切替部８０と、を備える。
静電気除去機構６０は、筐体４０を介してグランドＧＮＤに接地されている。
静電気除去機構６０は、回転体２０の外周面２０ｃに接触することで、回転体２０の外周面２０ｃに発生した静電気を筐体４０に向かって放電できる。
【００２１】
（静電気除去部）
静電気除去部７０は、回転体２０の外周面２０ｃに対し、接触可能となっている。
本実施形態では、静電気除去部７０は、各回転体２０に設けられている。
静電気除去部７０は、回転体２０の外周面２０ｃに対し、軸方向Ｄａに亘って接触可能となっている。
例えば、静電気除去部７０は、各リールテープ２２の外を向く面に対し、軸方向Ｄａに亘って接触可能となっていてもよい。
【００２２】
図２に示すように、静電気除去部７０は、ローラ７１と、粘着部７２と、を備える。
【００２３】
ローラ７１は、軸方向Ｄａに延びる円筒形状を有する。
ローラ７１は、円筒軸を中心に自由に回転可能である。
本実施形態では、ローラ７１は、静電気除去部７０の本体を構成している。
ローラ７１は、導電性を有する弾性材料である。
例えば、ローラ７１は、導電性繊維、導電性粒子等を含むゴムで形成されていてもよい。
【００２４】
粘着部７２は、各回転体２０の外周面２０ｃに対し粘着可能である。
粘着部７２は、静電気除去部７０の外周表面の少なくとも一部を構成している。
また、本実施形態では、粘着部７２は、ローラ７１の外周面全体を覆っている。
粘着部７２は、導電性を有する。例えば、粘着部７２は、導電性のアクリル系粘着剤で形成されていてもよい。
ローラ７１は、粘着部７２を介して各回転体２０の外周面２０ｃに接触し、各回転体２０の外周面２０ｃに発生した電荷を放電する。
【００２５】
（切替部）
切替部８０は、各回転体２０の外周面２０ｃに対し、静電気除去部７０を、接触状態と非接触状態とに切り替えさせることができる。
切替部８０は、レバー８１と、スプリング８２と、ツマミ８３と、解除機構８４と、を備える。
本実施形態では、切替部８０は、各回転体２０に設けられている。
例えば、各切替部８０は、それぞれ独立に、各回転体２０の外周面２０ｃに対し、各静電気除去部７０を接触状態と非接触状態とに切り替えさせることができてもよい。
【００２６】
レバー８１は、第一端８１ａと、第二端８１ｂと、支軸８１ｃと、を有する。
支軸８１ｃは、軸方向Ｄａに延びている。
レバー８１は、支軸８１ｃにおいて、スタンド９０に固定されている。
レバー８１は、支軸８１ｃを中心に、回転可能にスタンド９０に固定されている。
第一端８１ａには、ローラ７１が、ローラ７１の円筒軸を中心に回転可能なように、固定されている。
第二端８１ｂには、スプリング８２が接続されている。
レバー８１は、スタンド９０を介し、グランドＧＮＤに接続されている。
例えば、レバー８１は、静電気除去部７０とスタンド９０（又は筐体４０）とに接続されている導電体を有していてもよい。
例えば、レバー８１は、静電気除去部７０とスタンド９０（又は筐体４０）とに接続されている金属で構成されていてもよい。
【００２７】
スプリング８２の一端は、レバー８１の第二端８１ｂに固定されている。
スプリング８２の他端は、スタンド９０に固定されている。
スプリング８２は、静電気除去部７０が各回転体２０の外周面２０ｃから離れるように、レバー８１に付勢を与えている。
本実施形態では、スプリング８２は、反時計回りＣＣＷへ向かって、レバー８１に付勢を与えている。
本実施形態において、スプリング８２は、コイルスプリングである。
図２の場合、スプリング８２は、自然長から圧縮変形されることにより、レバー８１を反時計回りＣＣＷに回転させるように、付勢されている。
【００２８】
ツマミ８３は、押圧部８３ａと、支軸８３ｃと、を有する。
本実施形態では、押圧部８３ａと、支軸８３ｃと、は、一体に形成されている。
【００２９】
支軸８３ｃは、軸方向Ｄａに延びている。
ツマミ８３は、支軸８３ｃにおいて、スタンド９０に固定されている。
ツマミ８３は、支軸８３ｃを中心に、回転可能にスタンド９０に固定されている。
【００３０】
押圧部８３ａがレバー８１を押すことによって、静電気除去部７０は、各回転体２０の外周面２０ｃに対し接触状態となる。
本実施形態では、操作者が、スプリング８２の付勢に逆らって、ツマミ８３を時計回りＣＷに回転すると、図２に示すように、押圧部８３ａは、レバー８１を押し、レバー８１を時計回りＣＷに回転させる。
この際、ツマミ８３は、図示しないロック機構により、時計回りＣＷに回転された位置でロックされる。
【００３１】
解除機構８４は、静電気除去部７０を接触状態から非接触状態へ切り替えさせる。
解除機構８４は、時計回りＣＷに回転された位置におけるツマミ８３のロックを解除することができる。
本実施形態において、解除機構８４は、ツマミ８３から、リール２３の内周面に沿って、軸方向Ｄａに延びている解除ピン８４ｐを備える。
例えば、解除ピン８４ｐは、ツマミ８３と一体に形成されてもよい。
【００３２】
（解除機構の動作）
本実施形態における解除機構８４による、ツマミ８３のロック解除の動作について詳しく説明する。
図３に示すように、紙面に向かって反時計回りＣＣＷにリール２３が回転すると、リール２３の内周面から突出する突出部２３ｐが解除ピン８４ｐを押す。解除ピン８４ｐが押されると、解除ピン８４ｐは、ツマミ８３と共に反時計回りＣＣＷに回転する。ツマミ８３を反時計回りＣＣＷに回転させると、ツマミ８３のロックは解除される。
ツマミ８３のロックが解除されると、図４及び図５に示すように、スプリング８２の付勢に従って、レバー８１は反時計回りＣＣＷに回転する。
レバー８１は反時計回りＣＣＷに回転すると、静電気除去部７０は、各回転体２０の外周面２０ｃから離れ、各回転体２０の外周面２０ｃに対し、非接触状態となる。
【００３３】
（作用及び効果）
本実施形態の静電気除去機構６０の作用及び効果について説明する。
本実施形態において、静電気除去機構６０は、回転体２０の外周面２０ｃに対し、静電気除去部７０を接触状態と非接触状態とに切り替えさせることができる。
【００３４】
回転体を有する電子機器は、回転体の回転動作に伴う摩擦、接触等によって、回転体に静電気が発生し、回転体が帯電することがある。
回転体が帯電すると、回転体がごみや汚れを吸着したり、電子機器の誤動作、動作不良等を誘発したりすることがある。
他方、静電気を除去するために回転体に静電気除去部を接触させると、回転体の回転を妨げる負荷が発生する。
【００３５】
これに対し、本実施形態における静電気除去機構６０は、静電気除去部７０を、回転体２０の外周面２０ｃに対し、接触状態と非接触状態とに切り替えさせることができる。
したがって、静電気除去機構６０は、少なくとも非接触状態にできるから、静電気除去部７０が回転体２０の回転動作に与える負荷を軽減できる。
【００３６】
また、静電気除去部７０を非接触状態に切り替えることができれば、回転中の回転体２０の外周面２０ｃに対する静電気除去部７０の接触時間を減らすことができる。このため、回転体２０の外周面２０ｃや静電気除去部７０の摩耗を軽減することができる。
【００３７】
さらに、リールテープ２２に発生した静電気を除去するために、静電気除去部７０をリールテープ２２に直接接触させているため、リールテープ２２に発生した静電気を直接除去できる。
例えば、回転体２０を一回転させることで回転体２０の全周の静電気を除去することも可能となる。
【００３８】
本実施形態において、静電気除去部７０は粘着部７２を有するため、リールテープ２２の表面に付着したごみや汚れを除去できる。
すなわち、静電気除去機構６０は、回転体２０の外周面２０ｃの清掃機能も合わせ持ち合わせている。
【００３９】
本実施形態において、ローラ７１は、軸方向Ｄａに延びている。
このため、静電気除去部７０は、回転体２０の外周面２０ｃに広く接触することができる。
したがって、回転体２０の外周面２０ｃを広い面積に亘って、静電気を除去でき、清掃することができる。
【００４０】
本実施形態において、解除ピン８４ｐは、リール２３の内周面から突出する突出部２３ｐにより押される。
このため、回転体２０が１回転すれば、少なくともツマミ８３のロックが解除される。
したがって、回転体２０が１回転した後、静電気除去部７０は、回転体２０の外周面２０ｃに対し、自動的に非接触状態に維持される。
【００４１】
本実施形態において、スプリング８２は、コイルスプリングであるが、レバー８１に付勢を与えることができるなら、どのようなスプリングであってもよい。
変形例として、スプリング８２は、板バネであってもよい。
【００４２】
本実施形態では、回転体２０の外周面２０ｃに対し、静電気除去部７０を接触状態としたとき（図２に示す状態のとき）、スプリング８２は、自然長から圧縮変形されることにより、レバー８１を反時計回りＣＣＷに回転させるように、付勢されている。
変形例として、レバー８１を挟んだ反対側にスプリングを設ける構成とし、自然長から伸張変形されることにより、レバー８１を反時計回りＣＣＷに回転させるように、付勢されていてもよい。
【００４３】
＜第二実施形態＞
以下、電子機器の実施形態について、図６〜図９を参照して説明する。
本実施形態において電子機器は、プリンタである。
【００４４】
（電子機器）
本実施形態の電子機器１００の構成について説明する。
図６に示すように、電子機器１００は、回転体１２０と、制御部１３０と、筐体４０と、静電気除去機構６０と、を備える。
【００４５】
回転体１２０は、回転軸２１と、プラテンローラ１２２と、ギア１２４と、を備える。
回転軸２１と、プラテンローラ１２２と、ギア１２４とは、互いに一体となっており、周方向Ｄｃについて、同じ方向へ一緒に回転する。
回転体１２０は、全体として略円筒形状を有する。
回転体１２０は、軸方向Ｄａに延びている円筒軸を有する。
回転体１２０は、周方向Ｄｃに延びる外周面１２０ｃを有する。
【００４６】
プラテンローラ１２２は、円筒形状を有する。
外周面１２０ｃとして、プラテンローラ１２２は、周方向Ｄｃに延びる外周面を有する。
プラテンローラ１２２は、電子機器１００内において、紙を搬送する。
【００４７】
回転軸２１は、軸方向Ｄａに延びている。
回転体１２０は、例えばステッピングモータ等のモータにより、回転軸２１を中心に、筐体４０に対して回転する。
本実施形態では、回転軸２１の回転させることにより、回転体１２０は、周方向Ｄｃに回転する。
【００４８】
制御部１３０は、例えばモータを制御することにより、回転体１２０の回転及び停止の制御を行う。
【００４９】
筐体４０は、回転体１２０と、静電気除去機構６０と、をそれぞれ支持する。
筐体４０は、接地されており、回転体１２０に発生した電荷を、静電気除去機構６０を介してグランドＧＮＤに放出できる。
例えば、筐体４０は、静電気除去機構６０とグランドＧＮＤとに接続されている導電体を有していてもよい。
例えば、筐体４０は、静電気除去機構６０とグランドＧＮＤとに接続されている金属で構成されていてもよい。
【００５０】
（静電気除去機構）
静電気除去機構６０の構成について詳しく説明する。
静電気除去機構６０は、静電気除去部７０と、切替部８０と、を備える。
【００５１】
（静電気除去部）
図７に示すように、静電気除去部７０は、ローラ７１と、粘着部７２と、を備える。
静電気除去部７０は、回転体１２０の外周面１２０ｃに対し、接触可能となっている。
例えば、静電気除去部７０は、回転体１２０の外周面１２０ｃに対し、軸方向Ｄａに亘って接触可能となっていてもよい。
【００５２】
（切替部）
切替部８０は、回転体１２０の外周面１２０ｃに対し、静電気除去部７０を接触状態と非接触状態とに切り替えさせることができる。
【００５３】
スプリング８２は、静電気除去部７０が回転体１２０の外周面１２０ｃから離れるように、レバー８１に付勢を与えている。
【００５４】
本実施形態では、操作者が、スプリング８２の付勢に逆らって、ツマミ８３を時計回りＣＷに回転すると、図７に示すように、押圧部８３ａは、レバー８１を押し、レバー８１を時計回りＣＷに回転させる。
本実施形態において、スプリング８２は、引っ張りバネである。
図７の場合、スプリング８２は、自然長から伸張変形されることにより、レバー８１を反時計回りＣＣＷに回転させるように、付勢されている。
この際、ツマミ８３は、図示しないロック機構により、時計回りＣＷに回転された位置でロックされる。
例えば、ツマミ８３は、カムであってもよい。
例えば、ツマミ８３は、軸方向Ｄａに垂直面について、半円形状を有していてもよい。
【００５５】
解除機構８４は、時計回りＣＷに回転された位置におけるツマミ８３のロックを解除することができる。
本実施形態において、解除機構８４は、第一ギア８４ａと、第二ギア８４ｂと、解除レバー８４ｃと、を備える。
第一ギア８４ａとギア１２４とは、互いにかみ合うギアであって、周方向Ｄｃについて、互いに逆方向へ回転する。
第一ギア８４ａと第二ギア８４ｂとは、互いにかみ合うギアであって、周方向Ｄｃについて、互いに逆方向へ回転する。
解除レバー８４ｃは、第二ギア８４ｂに一体となっており、周方向Ｄｃについて、第二ギア８４ｂと同じ方向へ一緒に回転する。
【００５６】
（解除機構の動作）
本実施形態における解除機構８４によるツマミ８３のロック解除の動作について詳しく説明する。
周方向Ｄｃについて、回転体１２０が時計回りＣＷに回転すると、各ギアのかみ合わせによって、第一ギア８４ａが反時計回りＣＣＷに、第二ギア８４ｂが時計回りＣＷに、解除レバー８４ｃが時計回りＣＷに順次回転する。
解除レバー８４ｃが時計回りＣＷに回転すると、周方向Ｄｃについて、ツマミ８３が反時計回りＣＣＷに回転するように、解除レバー８４ｃは、ツマミ８３を蹴り出す。
ツマミ８３が反時計回りＣＣＷに回転すると、図８及び図９に示すように、静電気除去部７０は、回転体１２０の外周面１２０ｃから離れ、回転体１２０の外周面１２０ｃに対し、非接触状態となる。
【００５７】
（作用及び効果）
本実施形態の静電気除去機構６０の作用及び効果について説明する。
本実施形態においても、静電気除去機構６０は、回転体１２０の外周面１２０ｃに対し、静電気除去部７０を接触状態と非接触状態とに切り替えることができる。
このため、第一実施形態と同様に、本実施形態における静電気除去機構６０も、静電気除去部７０を、回転体１２０の外周面１２０ｃに対し、非接触状態へ切り替えることができる。
したがって、静電気除去機構６０は、少なくとも非接触状態にできるから、静電気除去部７０が回転体１２０の回転動作に与える負荷を軽減できる。
【００５８】
本実施形態における静電気除去機構６０も、回転体１２０の外周面１２０ｃや静電気除去部７０の摩耗を軽減することができる。
【００５９】
本実施形態においても、回転体１２０の外周面１２０ｃに静電気除去部７０を直接接触させているため、回転体１２０の外周面１２０ｃに発生した静電気を直接除去できる。
例えば、回転体１２０を一回転させることで回転体１２０の全周の静電気を除去することも可能となる。
【００６０】
本実施形態における静電気除去部７０も、粘着部７２を有するため、回転体１２０の外周面１２０ｃに付着したごみや汚れを除去できる。
すなわち、静電気除去機構６０は、回転体１２０の外周面１２０ｃの清掃機能も合わせ持ち合わせている。
【００６１】
本実施形態においても、ローラ７１は、軸方向Ｄａに延びている。
このため、静電気除去部７０は、回転体１２０の外周面１２０ｃに広く接触することができる。
したがって、回転体１２０の外周面１２０ｃを広い面積に亘って、静電気を除去でき、清掃することができる。
【００６２】
本実施形態においても、解除機構８４は、回転体１２０の回転により作動する。
このため、回転体１２０が１回転すれば、少なくともツマミ８３のロックが解除される。
したがって、回転体１２０が１回転した後、静電気除去部７０は、回転体１２０の外周面１２０ｃに対し、自動的に非接触状態に維持される。
【００６３】
本実施形態では、プラテンローラ１２２の静電気を除去したいときや、プラテンローラ１２２に付着している紙粉等を除去したいときに、静電気除去部７０を、プラテンローラ１２２に押し付けて、プラテンを１回転の空回りさせることで静電気や紙粉を除去できる。
特に本実施形態の場合、静電気除去部７０は、常にテンションにて引っ張られている状態(プラテンローラ１２２から離れている状態)にあるが、ツマミ８３を回すことで、静電気除去部７０をプラテンローラ１２２に接触させ、静電気や紙粉を除去することができる。
【００６４】
他方、プラテンローラ１２２が１回転すると解除レバー８４ｃがツマミ８３を解除することで、静電気除去部７０は、プラテンローラ１２２から離れる。
特に本実施形態の場合、各ギアの駆動によって、ロック解除できるため、その後の、実際の印刷時には回転動作への負荷を軽減した状態で印刷が可能になる。
【００６５】
本実施形態において、スプリング８２は、引っ張りバネであるが、レバー８１に付勢を与えることができるなら、どのようなスプリングであってもよい。
変形例として、スプリング８２は、板バネであってもよい。
【００６６】
本実施形態では、回転体１２０の外周面１２０ｃに対し、静電気除去部７０を接触状態としたとき（図７に示す状態のとき）、スプリング８２は、自然長から伸張変形されることにより、レバー８１を反時計回りＣＣＷに回転させるように、付勢されている。
変形例として、レバー８１を挟んだ反対側にスプリングを設ける構成とし、自然長から圧縮変形されることにより、レバー８１を反時計回りＣＣＷに回転させるように、付勢されていてもよい。
【００６７】
＜変形例＞
上述の実施形態では、ツマミ８３は、軸方向Ｄａに垂直面について、ロックを解除できるならどのような形状であってもよい。
【００６８】
上述の実施形態では、ツマミ８３を手動で回転して、回転体に静電気除去部を接触させているが、変形例として、ソレノイド等を用いて、自動的に回転体に静電気除去部を接触させてもよい。
【００６９】
上述の実施形態では、解除機構８４は、ツマミ８３のロックを解除させ、静電気除去部７０を接触状態から非接触状態へ切り替えさせている。
変形例として、手動によってツマミ８３のロックを解除させ、静電気除去部７０を接触状態から非接触状態へ切り替えさせてもよい。
【００７０】
上述の実施形態では、ローラ７１は、導電性繊維、導電性粒子等を含むゴムで形成されているが、導電性を有する弾性材料であれば、どのような部材であってもよい。
変形例として、ローラ７１は、導電性繊維、導電性粒子等を含むスポンジであってもよい。
【００７１】
上述の実施形態では、静電気除去機構６０は、遊技機のリールテープを備える回転体やプリンタのプラテンローラを備える回転体に設けられているが、どのような回転体に設けられてもよい。変形例として、静電気除去機構６０は、プリンタのフィードローラを備える回転体に設けられてもよい。
【００７２】
＜最小構成の実施形態＞
上述の実施形態における静電気除去機構の最小構成の実施形態について説明する。
図１０に示すように、静電気除去機構６０は、電子機器の回転体の外周面に対し、接触可能な静電気除去部７０と、回転体の外周面に対し、静電気除去部７０を接触状態と非接触状態とに切り替え可能な切替部８０と、を備える。
【００７３】
＜静電気除去方法の実施形態＞
静電気除去方法の実施形態を図１１に沿って説明する。
本実施形態は、電子機器の回転体の外周面に対し、静電気除去部を接触状態と非接触状態とに切り替え可能な静電気除去機構を用いて実行する。
例えば、本実施形態は、上述のいずれかの実施形態の静電気除去機構を用いて実行する。
【００７４】
まず、図１１に示されるように、電子機器の回転体の外周面に対し、静電気除去部７０を接触させる（ＳＴ１:接触させるステップ）。本実施形態では、静電気除去機構６０を用いて静電気除去部７０を接触させる。
ＳＴ１を実行した後、電子機器の回転体の外周面に対し、静電気除去部７０を非接触状態に切り替える（ＳＴ２：切り替えるステップ）。本実施形態では、静電気除去機構６０を用いて静電気除去部７０を接触状態から非接触状態に切り替えさせる。
ＳＴ２を実行したら、静電気除去方法は、一旦終了する。
【００７５】
静電気除去方法が終了した後、再び回転体の外周面の静電気を除去したり、回転体の外周面のごみや汚れを除去したりする必要が生じる場合は、再びＳＴ１を実行してもよい。
【００７６】
本実施形態の静電気除去方法は、各ステップを実行できるなら、どのような静電気除去機構を用いてもよい。
また、本実施形態の静電気除去方法は、各ステップを実行できるなら、どのような回転体や電子機器に適用されてもよい。
さらに、本実施形態の静電気除去方法は、各ステップを実行できるなら、静電気除去機構を用いずに、実施されてもよい。
【００７７】
以上、本発明の実施形態を説明したが、この実施形態は、例として示したものであり、発明の範囲を限定することは意図していない。この実施形態は、その他の様々な形態で実施されることが可能であり、発明の要旨を逸脱しない範囲で種々の省略、置き換え、変更を行うことができる。この実施形態やその変形は、発明の範囲や要旨に含まれると同様に、特許請求の範囲に記載された発明とその均等の範囲に含まれるものとする。
【符号の説明】
【００７８】
１０  電子機器
２０  回転体
２０ｃ  外周面
２１  回転軸
２２  リールテープ
２３  リール
２３ｐ  突出部
３０  中継基板部
４０  筐体
５０  門型支持部
６０  静電気除去機構
７０  静電気除去部
７１  ローラ
７２  粘着部
８０  切替部
８１  レバー
８１ａ  第一端
８１ｂ  第二端
８１ｃ  支軸
８２  スプリング
８３  ツマミ
８３ａ  押圧部
８３ｃ  支軸
８４  解除機構
８４ａ  第一ギア
８４ｂ  第二ギア
８４ｃ  解除レバー
８４ｐ  解除ピン
９０  スタンド
９５  制御部
１００  電子機器
１２０  回転体
１２０ｃ  外周面
１２２  プラテンローラ
１２４  ギア
１３０  制御部
ＣＣＷ  反時計回り
ＣＷ  時計回り
Ｄａ  軸方向
Ｄｃ  周方向
ＧＮＤ  グランド
【図１】
2020018619.tif 000003
【図２】
2020018619.tif 000004
【図３】
2020018619.tif 000005
【図４】
2020018619.tif 000006
【図５】
2020018619.tif 000007
【図６】
2020018619.tif 000008
【図７】
2020018619.tif 000009
【図８】
2020018619.tif 000010
【図９】
2020018619.tif 000011
【図１０】
2020018619.tif 000012
【図１１】
2020018619.tif 000013